(57)【要約】【課題】  腰ひねり運動も併せて実施できる腹筋運動を補助する健康器具を提供する。【解決手段】ベース１の両側に前方アームおよび後方アームをＶ字型に構成した一対の可動棒６が両側部に可動に枢接されてなり、前記可動棒６前方アームの先端部を内側に湾曲して握持部６２を形成し、両側部に配置された各可動棒６の後アーム部分は支承フレーム７と組み合わされ互いに固定され、ベース底面の円形凹槽には下盤座３と下回転盤４が収容され、ベースの上面に設けられた円形凹槽には上盤座２と上回転盤４が収容設置された構成からなり、旋回可動に配置された前記上、下盤座の特性により、使用者がベース上で多岐にわたる腰ひねりや、腹筋運動を提供できるようになるので、使用者に多様な選択肢をもたらし、好ましい実用性と使用性を提供する。【選択図】図２
0003120588.tif 000002
【実用新案登録請求の範囲】
【請求項１】
腹筋運動を補助する健康器具であって、ベース両側にそれぞれ枢支部材により一対の可動棒を枢着し、前記両可動棒はＶ字型を呈し、Ｖ字型の前端にはそれぞれ外周に包覆体が中段に近いところまで延伸配設した握持部を設け、前記両可動棒の後端には支承部となる支承フレームを伸縮自在に連結してなり、前記支承フレーム中段水平部には背もたれ頭部パッドを結合し、前記ベースの少なくとも一面には円形凹槽を設置して回転盤及び盤座を収容結合し、前記盤座が前記回転盤により旋回可動になっていること特徴とする腹筋運動を補助する健康器具。
【請求項２】
前記ベースの円形凹槽と盤座の各周壁部の対応する箇所には、それぞれボルトを挿入固定するピンホールを設けたことを特徴とする請求項１に記載の腹筋運動を補助する健康器具。
【請求項３】
前記ベースの頂、底面の円形凹槽の中心にそれぞれ貫通孔を設け、前記両円形凹槽の内部には端縁が弧状凹槽を有する同心環状凸リブを有してなり、上盤座中心には貫通孔を有し、表面には複数のマッサージ用凸状片が配列形成されると共に、裏面には端縁が弧状凹槽を有する同心環状凸リブを形成し、且つ下盤座中心には貫通孔を有し、表面に端縁が弧状凹槽を有する同心環状凸リブを形成したことを特徴とする請求項１に記載の腹筋運動を補助する健康器具。
【請求項４】
前記回転盤は、大、小環状部材の内側に形成された放射状リブから構成され、且つ、各リブ片と、大小環状部材の交差箇所にそれぞれボールを装着し、リブ片中心位置に、軸孔を有することを特徴とする請求項１に記載の腹筋運動を補助する健康器具。
【請求項５】
前記枢支部材は、スリーブ、軸棒及びスクリューねじからなり、前記スリーブは中空円筒形で、その外周縁の一端は錘状凸縁を設け、中段に近い所には凸縁を有しており、前記軸棒の外側端面には内螺孔を有することを特徴とする請求項１に記載の腹筋運動を補助する健康器具。
【請求項６】
前記可動棒の後端には固定孔が、また前記支承フレーム両端には、それぞれ定位孔が形成してなり、前記固定孔と定位孔とをねじによって連結し、前記可動棒に嵌合した前記支承フレームの伸縮長を自在にできるようにしたことを特徴とする請求項１に記載の腹筋運動を補助する健康器具。
【請求項７】
前記盤座と回転盤は、座椅子本体上に装着できるようにしたことを特徴とする請求項１に記載の腹筋運動を補助する健康器具。
【請求項８】
前記一対の可動棒間に弾性ロープを設けたことを特徴とする請求項１に記載の腹筋運動を補助する健康器具。
【請求項９】
腹筋運動を補助する健康器具であって、シートパッド両側にそれぞれ枢支部材により一対の可動棒を枢着し、前記両可動棒はＶ字型を呈し、Ｖ字型の前端にはそれぞれ外周に包覆体が中段に近いところまで延伸配設した握持部を設け、前記両可動棒の後端には支承部となる支承フレームを伸縮自在に連結してなり、前記支承フレーム中段水平部には背もたれ頭部パッドを結合し、前記パッド中央に貫通孔を有し、前記貫通孔に底座頂面に立設された軸柱を旋回可動に連結し、前記シートパッドが底座上で旋回可能状態になるようにしたことを特徴とする腹筋運動を補助する健康器具。
【請求項１０】
前記底座の軸柱は、前記シートッド中央の貫通孔にベアリングを介して連結され、前記パッドが前記底座に旋回可能に連結されていることを特徴とする請求項９に記載の腹筋運動を補助する健康器具。
【考案の詳細な説明】
【技術分野】
【０００１】
本考案は、健康器具に関するものであって、特に、腹筋運動における鍛錬を補助すること並びに多種多様の腰ひねり等のトレーニングが可能な腹筋運動を補助する健康器具に関するものである。
【背景技術】
【０００２】
従来周知の腹筋運動用補助器は、図１で示されるように、可動フレーム１０、固定フレーム２０及び前記可動フレーム１０と固定フレーム２０とを枢支する枢支部材３０とからなる、
前記可動フレーム１０は、コ字状に形成された基礎部分が床から平行に離隔して配設され、その最突端折曲部の中央にクッション１０１が配設されており、コ字状の基礎部分の両端部からは握持部１０２が上方に延伸して形成された構造になっている。
前記可動フレーム１０を床から離隔して固定保持する固定フレーム２０が、前記可動フレーム１０の基礎部分の両端部に枢支部材３０により回動可能に枢支されていて、これにより、前記可動フレーム１０が回動するようになっている。
前記固定フレーム２０の床に接している固定部分の中央には、シート２０１が配置されていて、これにより、使用時に、使用者がシート２０１上に臀部を位置付けて腰掛けてから、仰向けに寝て、頚部をクッション１０１に当て、両手を上に挙げて前記握持部１０２を握り、支点定位置状態下で、腹筋運動を行うことを補助できるようになっている。
【０００３】
しかし、公知の腹筋運動用健康器具は、腹筋運動の鍛錬における補助しかできず、使用者にとって、単調で、変化に乏しく、人体の特定の部位しか鍛錬することができないので、一定時間使用した後には、飽きてしまって、継続して使用することがなくなり、部屋の片隅に放置されてしまうという結果になりがちである。
【考案の開示】
【考案が解決しようとする課題】
【０００４】
本考案は、腹筋運動による鍛錬の補助は勿論のこと、それ以外にも上，下盤座により多種の腰ひねりトレーニングが可能で、使用者に多様な選択肢を与え、実用的で、運動効果の高い腹筋運動を補助する健康器具を提供することを目的とする。
【０００５】
本考案における腹筋運動を補助する健康器具は、支承フレームを必要に応じて伸縮調整を可能とすることで、好ましい適用性と利便性を具備させたことをもう一つの目的とする。
【課題を解決するための手段】
【０００６】
上述の目的を達成するため、本考案の腹筋運動を補助する健康器具は、ベース両側にそれぞれ枢支部材により一対の可動棒を枢着し、前記両可動棒はＶ字型を呈し、Ｖ字型の前端にはそれぞれ外周に包覆体が中段に近いところまで延伸配設した握持部を設け、前記両可動棒の後端には支承部となる支承フレームを伸縮自在に連結してなり、前記支承フレーム中段水平部には背もたれ頭部パッドを結合し、前記ベースの少なくとも一面には円形凹槽を設置して回転盤及び盤座を収容結合し、前記盤座が前記回転盤により旋回可動になっていること特徴とする。
また、腹筋運動を補助する健康器具であって、シートパッド両側にそれぞれ枢支部材により一対の可動棒を枢着し、前記両可動棒はＶ字型を呈し、Ｖ字型の前端にはそれぞれ外周に包覆体が中段に近いところまで延伸配設した握持部を設け、前記両可動棒の後端には支承部となる支承フレームを伸縮自在に連結してなり、前記支承フレーム中段水平部には背もたれ頭部パッドを結合し、前記パッド中央に貫通孔を有し、前記貫通孔に底座頂面に立設された軸柱を旋回可動に連結し、前記シートパッドが底座上で旋回可能状態になるようにしたことを特徴とする。
【考案の効果】
【０００７】
本考案の腹筋運動を補助する健康器具は、上記構成を備えていることで、以下のような効果を有する。
（１）腹筋運動を補助する以外に、上，下盤座２，３の旋回可動特性により、多種多様にわたって、腰をひねる運動、体の回転運動、脚部の運動を生み出すことができ、使用者に多様な選択肢を提供し、実用性に富み、好ましい運動効果を得る。
（２）支承フレーム７は、容易に長さを伸縮調整できるので、好ましい適用性と利便性を有し、使用者の使用願望を向上できる。
【考案を実施するための最良の形態】
【０００８】
以下、図面と共に、本考案をするための最良の実施形態について詳細に説明する。
図２は本考案の腹筋運動を補助する健康器具の第１実施例を示す破断分解斜視図、図３は図２のベースの断面図、図４は図２の上盤座の断面図であり、図５は図２本考案の下盤座の断面図、図６は本考案の第１実施例の運動器具の組立完成斜視図、図７は本考案の第１実施例の腹筋使用状態（１）を示す側面図、図８は本考案の第１実施例の腹筋使用状態（２）を示す側面図、図９は本考案の第１実施例の運動器具を使用して、腰ひねり、体の回転運動の使用状態を示す正面図、図１０は本考案の第１実施例の運動器具を使用して、腰ひねり、体の回転運動の使用状態を示す側面図、図１１は本考案の第１実施例の運動器具を使用して、腰ひねり、臀部配置の使用状態を示す正面図、図１２は本考案の別の第２実施例による立体組立斜視図、図１３は本考案の更に別の第３実施例による立体分解斜視図、図１４は図１３の本考案の実施例による立体組み合わせ側面図、図１５は図１３の本考案の第３実施例によるベース部の要部断面図である。
【実施例１】
【０００９】
図２〜図５で示されるように、本考案の腹筋運動を補助する健康器具に係る実施例１の構造は、ベース１、盤座となる上盤座２、下盤座３、回転盤４、両枢支部材５、一対の可動棒６、支承フレーム７及び弾性ロープ８等の部品を組み合わせて構成されている。
【００１０】
前記ベース１の上面および底面には、それぞれ、円形凹槽１１，１２が形成されており、前記円形凹槽１１，１２は、その中心に貫通孔１３が設けられ、その内部には同心環状凸リブ１１１，１２１が設けられており、該同心環状凸リブ１１１，１２１の各上，下端面には弧状湾曲面を有する弧状凹槽１１１１，１２１１が形成され、更に底面側の円形凹槽１２の外周壁には、ピンホール１２２が穿設されている。
前記ベース１の左右両側には、それぞれ、挿結孔１４が形成され、後側に、斜め上方に傾斜させて延設した背もたれ板１５が形成してある。
【００１１】
前記上盤座２は、平板状に形成されており、その中心にねじ受け用の凹み段差部を有する貫通孔２１が形成してある。更に平板状の表面にはマッサージ面となる多数のマッサージ用凸状片２２が配列形成されている。前記凸状片２２の下端面には、図４によく見られるように、弧状凹槽２３１が同心状に形成された環状凸リブ２３．２３が設けられている。
【００１２】
前記下盤座３は、図２及び図５に示すように、その中心に下方から装着するねじ部の頭部が底面より突出しないようにした段差部を有する貫通孔３１が形成してあり、その表面には上端面に弧状の湾曲面を有する弧状凹槽３２１を構成する同心状の環状凸リブ３２，３２が形成されている。そして、外側の前記環状凸リブ３２の外周壁には、ピンホール３２２が穿設されている。
【００１３】
前記回転盤４は、大，小の環状部材４１の内側に放射状リブ４２が設置されて構成されおり、各放射状リブ片４２と大，小環状部材４１との交差箇所にはボール４３が装着されていて、放射状リブ片４２の中心位置に軸孔４４が形成されている。
【００１４】
前記枢支部材５は、スリーブ５１、軸棒５２、及びスクリューねじ５３から構成されている。前記スリーブ５１は中空円筒形で、その外縁一端部に錘状凸縁５１１が形成され、中央に近い所に停止凸縁５１２が形成され、軸棒５２の外側端面の軸方向には内螺孔５２１が形成されている。
【００１５】
前記一対の可動棒６は、Ｖ字型を呈し、Ｖ字の底になる中心部分には、枢支座６１が配置されている。該枢支座６１には枢支孔６１１が設けられている。  また、Ｖ字形を構成する一対の可動棒６の前方部分の端部は内側に湾曲されて握持部６２が形成されており、その外側周囲は、柔軟性のある包覆体６３で可動棒前方部分の中ほどまで覆われている。そして、Ｖ字形を構成する可動棒６の後方端部には固定孔６４が形成されている。
【００１６】
前記支承フレーム７は、逆Ｕ字状のアーチ形をなしており、その頂上辺中ほどには柔軟性パッド７１が配置されていて、その両脚部分には、それぞれ、複数個の定位孔７２が所定の間隔で形成されている。
そして、両端に固定用取付部８１が設けられた弾性ロープ８が、支承フレーム７の両脚部分に前記固定用取付部８１によって所定の間隔で取り付けられている。
【００１７】
以上のように構成される本考案の腹筋運動を補助する健康器具を組み立てる場合には、図６に示すように、前記下盤座３と下回転盤４とを前記ベース１の底面側の円形凹槽１２に設置する。次に前記上盤座２と前記上回転盤４とをベース１の上面側の円形凹槽１１内にそれぞれ設置する。
この時、前記上、下回転盤４のボール４３，４３を、ベース１の環状凸リブ１１１，１２１の弧状凹槽１１１１，１２１１と前記上，下盤座２，３の環状凸リブ２３，３２の弧状凹槽２３１、３２１間にそれぞれ挟持して位置付けして、ネジによって下盤座３の貫通孔３１、下回転盤４の軸孔４４、ベース１の穿孔１３、もう一つの上回転盤４の軸孔４４及び上盤座２の貫通孔２１を介してナットで螺結固定することで、前記上，下盤座２，３は、それぞれの上，下回転盤４により回動可能に位置決めされる。
【００１８】
前記左右一対の枢支部材５の各スリーブ５１は、錘状凸縁５１１に導かれてベース１の左，右両側のそれぞれの挿結孔１４内に穿設されると、スリーブ５１の錘状凸縁５１１と停止凸縁５１２が、挿結孔１４両端に当接して固定され、軸棒５２は、スリーブ５１内に挿入される。
【００１９】
左右一対の可動棒６をベース１の左右両側にそれぞれ配設し、前記一対の可動棒６のＶ字形谷間部分に配置した枢接座６１にある枢接孔６１１にスクリューネジ５３を挿入し、軸棒５２外側端面の内螺孔５２１とネジ嵌合させ、可動棒６を回動可能に位置付決め固定する。
【００２０】
更に、弾性ロープ８を、その両端部に配置された固定用取付部材８１により、左右一対の可動棒６の後方アームにそれぞれ所定の間隔を持たせて固定させ、更に、前記支承フレーム７の両脚部分をそれぞれ可動棒６の各後方アーム部分内に嵌合し、ねじなどの固定部材９により、可動棒６のそれぞれの後方アーム部分の固定用孔６４と、支承フレーム７の脚部それぞれの所望の位置決め用孔７２とに挿入して固定し、組み立てが完成する。
【００２１】
そして、腹筋運動をする時には、図７、図８に示されるように、使用者はベース１に配置された上盤座２に腰を掛けてから、背中部を弾性ロープ８及び支承フレーム７の軟性パッド７１に凭れ掛けさせて仰向けになり、外周を包覆体６３で覆われた左右の可動棒６の握持部６２を両手で握持し、支点定位置状態下で腹筋運動を実行する。前記可動棒６及び支承フレーム７の集成体は、人体の腹筋運動に伴う動作に従って旋回移動し、非常に簡単に便利に腹部運動が達成される。
【００２２】
また、腰ひねり運動をする際には、図９で示されるように、使用者は上盤座２に腰掛けてから、外周を包覆体６３で覆われた、それぞれの可動棒６の各握持部６２を両手でそれぞれ握持し、両足で地面を踏みしめるようにしてから、身体を左右に揺動させると、上，下盤座２、３の旋回運動により、ベース１、上盤座２、可動棒６及び支承フレーム７も同時に旋回し、器具全体が旋回動作して、これにより腰をひねる運動が実施され、腰部と背筋部の運動効果が有効に達成される。
【００２３】
更にまた、図１０、図１１に示されるように、ベース１底面の円形凹槽１２外周壁のピンホール１２２と下盤座３外側環状凸リブ３２外周壁のピンホール３２２にボルト１２３を挿設することにより、下盤座３とベース１を固定してから、使用者がベース１の上盤座２に立って、両手を支承フレーム７の中ほどを握持したまま、上盤座２の旋回可動特性を利用して上盤座２の回転に伴い、腰をひねって臀部を鍛錬することができ、腰部と臀部の運動効果が得られる。
【実施例２】
【００２４】
図１２に示すものは、本考案の腹筋運動を補助する健康器具の別の第２実施例であり、この第２実施例においては、上述の実施例１と同様の上盤座２及び回転盤４、下盤座３及び回転盤４、そして可動棒６を、一般の座椅子１’上に装着したものであり、前記座椅子１’以外の構成は同様であるので、構成の詳細は同一部品に同一符号を付して省略する。
したがって、第２実施例においては、平時においては座って休息できる普通の椅子として使用できる以外に、臀部を上盤座２に乗せた時に、上盤座２の旋回可動特性により、腰をひねって体を回す健康運動が実行でき、家の中で普通に生活していても、腰部と臀部の運動ができるという効果が得られる。
【実施例３】
【００２５】
図１３〜図１５に示すのは本考案の腹筋運動を補助する健康器具の更に別の第３実施例であり、前述の第１実施例とは、シートパッド１”の両側部にそれぞれＶ字型を呈する一対の可動棒６を可動枢接してある。一対の可動棒６の前方アームの先端部は湾曲して握持部６２が形成されている。また、両可動棒６のそれぞれの後方アーム部分の間に複数の弾性ロープ８を結合してあり、両可動棒６後方アーム部分は、支承フレーム７と組み合わされされて共に固定されている。
前記シートパッド１”の中央には連結孔１１”が配置されており、前記シートパッド１”の下方には、底座３”が配設され、前記底座３”の上面には上方へ立設する軸柱３１”が設けられ、この軸柱３１”を前記連結孔１１”に嵌めてから、ベアリング３２”、ネジ３３”、パッド片３４” を介して係止し、旋回可動状態を形成する。これにより、使用者がシートパッド１”に腰掛けて臀部を位置付けてから、外周を包覆体６３覆われた、前記一対の可動棒６の握持部６２を両手で握持してから、両足を地面に付けて踏みしめ、腰をひねる運動をすると、シートパッド１”、可動棒６、支承フレーム７の旋回に伴い、椅子に腰掛けたままで腰ひねり運動を実行することができ、腰部と背筋部の運動効果がある。
【００２６】
本考案では好ましい実施例を前述の通り開示したが、これらは決して本考案に限定するものではなく、当該技術を熟知する者なら誰でも、本考案の精神と領域を脱しない範囲内で各種の変更を加えることができ、従って本考案の保護範囲は、実用新案登録請求の範囲で指定した内容を基準とする。
【図面の簡単な説明】
【００２７】
【図１】公知の外観立体図である。
【図２】本考案の腹筋運動を補助する健康器具の第１実施例を示す破断分解斜視図、
【図３】図２のベースの断面図、
【図４】図２の上盤座の断面図、
【図５】図２本考案の下盤座の断面図、
【図６】本考案の第１実施例の運動器具の組立完成斜視図、
【図７】は本考案の第１実施例の腹筋使用状態（１）を示す側面図、
【図８】は本考案の第１実施例の腹筋使用状態（２）を示す側面図、
【図９】は本考案の第１実施例の運動器具を使用して、腰ひねり、体の回転運動の使用状態を示す正面図、
【図１０】本考案の第１実施例の運動器具を使用して、腰ひねり、体の回転運動の使用状態を示す側面図、
【図１１】本考案の第１実施例の運動器具を使用して、腰ひねり、臀部配置の使用状態を示す正面図、
【図１２】本考案の別の第２実施例による立体組立斜視図、
【図１３】は本考案の更に別の第３実施例による立体分解斜視図、
【図１４】図１３の本考案の実施例による立体組み合わせ側面図、
【図１５】図１３の本考案の第３実施例によるベース部の要部断面図である。
【符号の説明】
【００２８】
１０…可動フレーム
１０１…クッション
１０２…握持部
２０…固定フレーム
２０１…シート
３０…枢支部材
１…ベース
１１…円形凹槽
１１１…凸リブ
１１１１…弧状凹槽
１２…円形凹槽
１２１…凸リブ
１２１１…弧状凹槽
１２２…ピンホール
１２３…ボルト
１３…穿孔
１４…挿結孔
１５…背もたれ板
２…上盤座
２１…貫通孔
２２…マッサージ用凸状片
２３…環状凸リブ
２３１…弧状凹槽
３…下盤座
３１…貫通孔
３２…環状凸リブ
３２１…弧状凹槽
３２２…ピンホール
４…回転盤
４１…大，小環状部材
４２…リブ片
４３…ボール
４４…軸孔
５…枢支部材
５１…スリーブ
５１１…凸縁
５１２…凸縁
５２…軸棒
５２１…内螺孔
５３…スクリューねじ
６…可動棒
６１…枢支座
６１１…枢支孔
６２…握持部
６３…包覆体
６４…固定孔
７…支承フレーム
７１…軟性パッド
７２…定位孔
８…弾性ロープ
８１…固定用取付部材
９…固定部材
１’…座椅子
１”…シートパッド
１１”…連結孔
３”…底座
３１”…軸柱
３２”…ベアリング
３３”…スクリューねじ
３４”… パッド片
【図１】
0003120588.tif 000003
【図２】
0003120588.tif 000004
【図３】
0003120588.tif 000005
【図４】
0003120588.tif 000006
【図５】
0003120588.tif 000007
【図６】
0003120588.tif 000008
【図７】
0003120588.tif 000009
【図８】
0003120588.tif 000010
【図９】
0003120588.tif 000011
【図１０】
0003120588.tif 000012
【図１１】
0003120588.tif 000013
【図１２】
0003120588.tif 000014
【図１３】
0003120588.tif 000015
【図１４】
0003120588.tif 000016
【図１５】
0003120588.tif 000017